(57)【要約】      （修正有）【課題】被保護者がＷｅｂアクセスを行った際に、保護者によりリアルタイムな設定変更を可能とするＵＲＬフィルタリングシステムを提供する。【解決手段】フィルタリングサーバ１０１は端末装置(被保護者用)１０２から不特定多数の端末装置から閲覧可能なＷｅｂサーバ１０４のサイトにアクセスを行った際に、ＵＲＬによるアクセス制御を行う。フィルタリングサーバ１０１によりアクセス禁止と判定された場合、端末装置(被保護者用)１０２はアクセス規制解除要求をフィルタリングサーバ１０１に対して送信し、要求を受けたフィルタリングサーバ１０１は端末装置(保護者用)１０３にメールによる解除要求内容を送信する。解除要求を受けた端末装置(保護者用)１０３は、フィルタリングサーバ１０１に対して解除の可否を伝え、解除可の場合はフィルタリングサーバ１０１によりフィルタリングの設定がされる。【選択図】図１
2010117874.tif 000002
【特許請求の範囲】
【請求項１】
被保護者および保護者用不特定多数の端末装置と、Ｗｅｂサーバと、上記端末装置から上記Ｗｅｂサーバへのアクセスを規制するフィルタリングサーバと、上記端末装置、上記Ｗｅｂサーバ、上記フィルタリングサーバを結合するネットワークからなるＵＲＬフィルタリングシステムにおいて、
上記フィルタリングサーバは、上記不特定多数の端末装置からアクセス可能であるネットワーク上の上記Ｗｅｂサーバのサイトへの被保護者によるアクセスを規制するアクセス規制手段と、規制対象サイトへのアクセス時にアクセス規制の解除要求を上記保護者用端末装置に送る規制解除要求手段と、上記解除要求に対して上記保護者用端末装置から上記アクセス規制内容を設定するフィルタ設定を変更するフィルタ設定変更手段と、上記規制対象サイトに関する情報を上記保護者用端末装置に提供するサイト情報提供手段と、上記フィルタ設定変更手段の結果を上記保護者用端末装置に通知するフィルタ設定結果通知手段を有することを特徴とするＵＲＬフィルタリングシステム。
【請求項２】
上記端末装置がＰＣ、携帯電話、ＰＤＡ、モバイル端末等のＷｅｂアクセス可能な通信装置およびＷｅｂサイト閲覧可能なブラウザを有する端末装置であり、プロキシ、ゲートウェイ等の中継機器を介して前記Ｗｅｂサーバへアクセスする、請求項１に記載のＵＲＬフィルタリングシステム。
【請求項３】
上記アクセス規制手段、上記規制解除要求手段、上記フィルタ設定変更手段、上記サイト情報提供手段、上記フィルタ設定結果通知手段とをプロキシ、ゲートウェイ等の中継機器および中継機器と通信を行う上記フィルタリングサーバ上で実現する、請求項１に記載のＵＲＬフィルタリングシステム。
【請求項４】
上記アクセス規制手段が、上記ＷｅｂサイトのＵＲＬ毎にアクセス規制を行い、ユーザ情報およびＵＲＬをカテゴリ分類したカテゴリ情報、各ユーザの各カテゴリに対してのアクセス可否情報を保持し、カテゴリ単位でのアクセス規制可能とする、請求項１に記載のＵＲＬフィルタリングシステム。
【請求項５】
上記アクセス規制手段が、請求項４のカテゴリ単位によるアクセス規制に加え、各ユーザのアクセス許可するＵＲＬホワイトリスト情報を保持し、アクセス規制対象のカテゴリであってもＵＲＬホワイトリストに登録することで、上記Ｗｅｂサイトへのアクセスを可能とする、請求項１に記載のＵＲＬフィルタリングシステム。
【請求項６】
上記サイト情報提供手段が、上記サイトのＵＲＬ、カテゴリ等の情報に加え、該当サイトに対する年齢/性別毎のアクセス規制の割合等、保護者がアクセス規制の設定を行う上での判断材料を提供可能とする、請求項１に記載のＵＲＬフィルタリングシステム。
【請求項７】
上記端末装置が、上記Ｗｅｂサーバとの通信にＨＴＴＰプロトコルによるＴＣＰ／ＩＰ通信を用いる、請求項１に記載のＵＲＬフィルタリングシステム。
【請求項８】
上記規制解除要求手段が、被保護者の端末装置からの規制解除要求にＨＴＴＰプロトコルによるＴＣＰ／ＩＰ通信を用いる、請求項１に記載のＵＲＬフィルタリングシステム。
【請求項９】
上記フィルタ設定変更手段が、保護者の端末装置からのフィルタ設定変更の要求にＨＴＴＰプロトコルによるＴＣＰ／ＩＰ通信を用いる、請求項１に記載のＵＲＬフィルタリングシステム。
【請求項１０】
上記規制解除要求手段が、保護者の端末装置に対して解除要求を送信する手段としてメールを用いる、請求項１に記載のＵＲＬフィルタリングシステム。
【請求項１１】
上記フィルタ設定結果通知手段が、被保護者の端末装置に対してフィルタの設定変更結果を送信する手段としてメールを用いる、請求項１に記載のＵＲＬフィルタリングシステム。
【発明の詳細な説明】
【技術分野】
【０００１】
本願発明は、ＰＣ、携帯電話等の端末装置からＷｅｂサイトへのアクセスを規制するＵＲＬフィルタリングシステムに関し、更に詳細には、被保護者が閲覧するのに好ましくないサイトへのアクセスの規制が可能でリアルタイムにフィルタ設定変更（アクセス設定）を可能とするＵＲＬフィルタリングシステムに関する。
【背景技術】
【０００２】
現在インターネットの普及により、例えば携帯電話からＷｅｂサイトへのアクセスを行いさまざまな情報を誰でも手軽に閲覧可能となった。また、ネットショッピング、ＳＮＳ（Social Networking Service）、ブログ、チャット、掲示板等のＷｅｂサービスも多様化し、利用者の取捨選択により自由に便利なサービスを利用することができる。
【０００３】
しかし、これらの状況には、取捨選択の判断能力の未熟な子供やネットに不慣れな利用者にふさわしくない情報を与える危険性や、アクセス利用者をトラブルに巻き込む危険性が内在する。
【０００４】
特に近年の携帯電話利用者の低年齢化により、子供のＷｅｂアクセス利用者が増えたため、Ｗｅｂサイトへのアクセスを規制するフィルタリングサービスが各社から提供され加入者数も増加している。
【０００５】
このようなフィルタリングサービスには、アクセスを許可する特定のＵＲＬを事前に登録し、登録されたＵＲＬのみへのアクセスを許可するホワイトリスト方式、アクセスを拒否するＵＲＬを事前に登録し、登録されたＵＲＬへのアクセスを拒否するブラックリスト方式が存在する。また、利用者が無数に存在するＷｅｂサイトの個々のＵＲＬを事前登録するのは不可能なため、ゲーム、音楽、暴力等のいくつかのカテゴリに分類したデータベースを提供し、カテゴリごとのアクセスの規制を実施可能なサービスが提供されている。例えば、特許文献１に示すものがある。
【０００６】
これらのフィルタリングサービスによれば、利用者がサービスに加入し、事前にアクセス規制の登録を行うことで、子供等にふさわしくない情報を与えるのを防ぐことが可能である。しかし、アクセス拒否されたサイトに調べ物等で一時的にアクセスしたい場合に、アクセスができないという問題があった。
【０００７】
また、従来のカテゴリベースのフィルタリングではユーザ毎にＵＲＬリストが用意されておらず、カテゴリの特定のＵＲＬにアクセスする設定ができなかった。
【０００８】
これらの問題を解決するには、ユーザ毎にＵＲＬリストを用意し、サイトへのアクセス時に設定変更を容易に行える必要がある。例えば特許文献２に示す如く、規制対象のサイトへのアクセス時に一時的にパスワードを管理者に発行してもらい閲覧可能とするものが存在する。これはユーザ毎にＵＲＬリストを用意し、ＵＲＬ単位でのフィルタリングを実現したものではない。また、規制対象へのアクセス時に保護者の許可を得ることでサイト閲覧を可能とする方法が考えられるが、保護者が対象サイトの内容をよく理解することなく閲覧の許可を与える問題がある。
【０００９】
【特許文献１】特開２００５−１０７８３１号公報
【特許文献２】特開２００４−３６２０３１号公報
【発明の開示】
【発明が解決しようとする課題】
【００１０】
本願発明は、上記問題に鑑みなされたものであり、本願発明の第１の目的は、ユーザ毎にＵＲＬリストを用意し、ＵＲＬ単位でのフィルタリングを行うことで、柔軟なフィルタリング設定可能なフィルタリングシステムを提供することにある。
【００１１】
また、本願発明の第２の目的は、被保護者が規制対象サイトへアクセスした時点で保護者の許可を得ることでサイト閲覧を可能とし、これによりリアルタイムなアクセス規制の設定変更が可能なフィルタリングシステムを提供することにある。
【００１２】
また、保護者の許可によりリアルタイムにフィルタの設定が可能となっても、保護者が作業的に許可を与えるようなシステムでは、フィルタリングの機能が十分に働かない。保護者は対象サイトの内容を確認することで閲覧許可を与えるか判断可能であるが、Ｗｅｂサービスに関しての知識が少ない保護者も多く、判断できないケースも有り得る。
【００１３】
そこで、本願発明の第３の目的は、保護者に対して対象サイトへの全フィルタリングサービス加入者の年齢別フィルタリング設定状況等の判断材料を提供可能なフィルタリングシステムを提供することにある。
【課題を解決するための手段】
【００１４】
本願発明は、ＵＲＬフィルタリングシステムにおいて、例えばＰＣ、携帯電話、ＰＤＡ、モバイル端末等のＷｅｂアクセス可能な通信装置を有する端末からのＷｅｂアクセスを受信するプロキシ、ゲートウェイ等の中継機器および中継機器と通信を行うサーバ上に、アクセス規制手段、規制解除要求手段、フィルタ設定変更手段、サイト情報提供手段、フィルタ設定結果通知手段を設けたものである。
【発明の効果】
【００１５】
本願発明によれば、例えばＰＣ、携帯電話、ＰＤＡ、モバイル端末等のＷｅｂアクセス可能な通信装置を有する端末装置のＨＴＴＰプロトコルによるＴＣＰ／ＩＰ通信でのＷｅｂサーバへのアクセスに対して、ＵＲＬに基づいたアクセス規制行い、被保護者にふさわしくない情報の閲覧を防止するＵＲＬフィルタリングシステムが提供できる。また、被保護者が特定ＵＲＬに対してのアクセス規制の解除要求を保護者に対して送ることができ、及び保護者がアクセス規制解除要求に対してフィルタリング設定変更を可能とするＵＲＬフィルタリングシステムを実現できる。
【００１６】
更に、保護者がフィルタリングの解除要求を受け、フィルタリングの設定変更を行う際の判断材料として、対象サイトのＵＲＬに関する年齢／性別毎のアクセス規制の割合等を提供可能とするＵＲＬフィルタリングシステムを実現できる。
【発明を実施するための最良の形態】
【００１７】
ＷｅｂサーバへのアクセスはＨＴＴＰプロトコルによるＴＣＰ／ＩＰ通信であり、上記アクセス規制手段はフィルタリング処理部で実現され、通信リクエスト中のＵＲＬ情報に基づいてアクセス規制（フィルタ設定）を実施する。ＵＲＬフィルタリングシステムはユーザ情報、ＵＲＬをカテゴリ分類したＵＲＬカテゴリ情報、各ユーザの各カテゴリに対するアクセス可否情報をデータベース（ＤＢ）に保持することで、カテゴリ単位のアクセス規制を実現する。また他に、各ユーザのアクセスを許可するＵＲＬホワイトリスト情報をデータベースＤＢに保持することでＵＲＬ単位でのアクセス規制を実現する。これらカテゴリ単位およびＵＲＬ単位でのアクセス規制を組み合わせることで前記課題である柔軟なフィルタリング設定が達成される。
【００１８】
上記規制解除要求手段は、フィルタリング処理部とメール通知処理部の組み合わせで実現され、サイトへのアクセスが拒否された場合、被保護者の端末からＨＴＴＰプロトコルによるＴＣＰ／ＩＰ通信である対象サイトへの規制解除要求を受け取り、保護者の端末にメールにより規制解除要求の内容を伝える。保護者は規制解除要求に対して対象サイトのＵＲＬのフィルタ設定を変更しアクセス許可を与えるかを判断する。
【００１９】
上記対象前記フィルタ設定変更手段は、フィルタ設定処理部で実現され、保護者の端末からＨＴＴＰプロトコルによるＴＣＰ／ＩＰ通信であるフィルタ設定要求を受け取り、フィルタの設定変更を行う。
【００２０】
上記フィルタ設定結果通知手段は、メール通知処理部で実現され、保護者によるフィルタの設定変更結果を被保護者の端末にメールにより通知する。これらの規制解除要求手段、フィルタ設定変更手段、フィルタ設定結果通知手段により、前記課題であるリアルタイムな設定変更可能なフィルタリングシステムが達成される。
【００２１】
上記サイト情報提供手段は、サイト情報生成処理部で実現され、ＵＲＬフィルタリングシステムが保持するユーザ情報、ＵＲＬをカテゴリ分類したＵＲＬカテゴリ情報、各ユーザの各カテゴリに対するアクセス可否情報、各ユーザのアクセス許可するＵＲＬホワイトリスト情報から、対象サイトのＵＲＬに関する年齢/性別毎のアクセス規制の割合等を生成し、保護者に提供することで、前記課題である判断材料を提供可能なフィルタリングシステムが達成される。
【実施例】
【００２２】
以下、本願発明の実施例について図面を参照して説明する。  図１は本願発明のフィルタリングシステムの概要を示す概要図である。
【００２３】
本願発明のＵＲＬフィルタリングシステムは、例えばＰＣ、携帯電話、ＰＤＡ、モバイル端末等のＷｅｂアクセス可能な通信装置を有する端末装置（被保護者）１０２および端末装置(保護者)１０３がインターネット等のネットワーク上のＷｅｂサーバ１０４に対して、ＨＴＴＰプロトコルによるＴＣＰ／ＩＰ通信でのアクセスを行う環境での通信経路上に存在するプロキシ、ゲートウェイ等の中継機器および中継機器と通信を行うサーバであるフィルタリングサーバ１０１上で実現される。
【００２４】
フィルタリングサーバ１０１は、ユーザ情報、ＵＲＬをカテゴリ分類したＵＲＬカテゴリ情報、各ユーザの各カテゴリに対するアクセス可否情報、各ユーザのアクセス許可するＵＲＬホワイトリスト情報を保持したデータベース（ＤＢ）を持ち、端末装置１０２（被保護者用）および端末装置１０３（保護者用）からのＨＴＴＰプロトコルによるＴＣＰ／ＩＰ通信に対してこれらの情報を適宜参照し、端末装置１０２（被保護者用）および端末装置１０３（保護者用）への通信応答、Ｗｅｂサーバ１０４への通信、端末装置１０２（被保護者用）および端末装置１０３（保護者用）へのメール送信等の処理を行う。
【００２５】
以下、フィルタリングサーバの構成図を用いて、本願発明の実施例を詳細に説明する。
【００２６】
図２は本願発明の実施の一例を示すフィルタリングサーバの構成図である。同図において、フィルタリングサーバ１０１、端末装置１０２（被保護者用）、端末装置１０３（保護者用）、Ｗｅｂサーバ１０４は図１と同じものである。
【００２７】
フィルタリングサーバ１０１は、本願発明でのＵＲＬフィルタリングシステムを実現するフィルタリング処理部２０１、フィルタ設定処理部２０２、サイト情報生成処理部２０３、メール通知処理部２０４を有している。フィルタリング処理部２０１は、端末装置からＷｅｂサーバへのアクセスを規制するアクセス規制手段を含んでいる。またフィルタリング処理部２０１は、メール通知処理部２９４と連携して規制解除要求手段を構成する。フィルタ設定処理部２０２は、フィルタ設定を変更するフィルタ設定変更手段を含んでいる。サイト情報生成処理部２０３は、サイト情報を端末装置（保護者用）の利用者に提供するサイト情報提供手段を含んでいる。メール通知処理部２０４は、フィルタ設定結果を端末装置（保護者用）の利用者に通知するフィルタ設定結果手段を構成している。これらの処理部はハードディスク（図示せず）に格納されたプログラムを実行することでサーバ上に実現される。
【００２８】
また、フィルタリングサーバ１０１は、上記各処理部で参照する情報を格納したユーザ情報管理データベース（ＤＢ）２０５、ＵＲＬカテゴリ管理データベース（ＤＢ）２０６、フィルタ情報管理データベース（ＤＢ）２０７、ＵＲＬホワイトリスト管理データベース（ＤＢ）２０８を有する。ユーザ情報管理ＤＢ２０５は、ＵＲＬフィルタリングサービスに加入したユーザ情報を管理する。
【００２９】
図３はユーザ情報管理ＤＢ２０５の構成例である。同図において、ユーザＩＤ部３０１、ユーザ名部３０２、メールアドレス部３０３、保護者のメールアドレス部３０４、性別部３０５、年齢部３０６、サービス期間部３０７の項目を設定している。ユーザＩＤ部３０１には、サービス加入ユーザを一意に識別できるＩＤが格納される。ユーザ名部３０２には、ユーザの名前が特定できる情報が格納される。メールアドレス部３０３には、ユーザのメールアドレスが格納される。保護者のメールアドレス部３０４には、ユーザの保護者のメールアドレスが格納される。性別部３０５には、ユーザの性別が格納される。年齢部３０６には、ユーザの年齢が格納される。サービス期間部３０７には、フィルタリングサービスの利用期間、例えばサービス終了日が格納される。
【００３０】
ＵＲＬカテゴリ管理ＤＢ２０６は、ＵＲＬをカテゴリ分類した情報を管理する。
【００３１】
図４はＵＲＬカテゴリ管理ＤＢ２０６の構成例である。同図において、ＵＲＬ部４０１、カテゴリ部４０２、有効期限部４０３の項目を設定している。ＵＲＬ部４０１には、カテゴリ分類されるＵＲＬが格納される。カテゴリ部４０２にはＵＲＬが分類されたカテゴリが格納される。有効期限部４０３には、ＵＲＬとカテゴリの紐付けの有効期限が格納される。
【００３２】
フィルタ情報管理ＤＢ２０７は、各ユーザの各カテゴリに対するアクセス可否情報を管理する。
【００３３】
図５はフィルタ情報管理ＤＢ２０７の構成例である。同図において、ユーザＩＤ部０５０１、各カテゴリ名部５０２の項目を設定している。ユーザＩＤ部５０１には、サービス加入ユーザを一意に識別できるＩＤを格納される。各カテゴリ名部５０２には、ユーザのカテゴリに対するアクセス可否を格納される。例えば設定値０：アクセス可能、設定値１：アクセス拒否とする。
【００３４】
ＵＲＬホワイトリスト管理ＤＢ２０８は、各ユーザのアクセスを許可するＵＲＬホワイトリスト情報を管理する。アクセス拒否されるカテゴリに属するＵＲＬであってもホワイトリストに登録されていればアクセス可能とする。
【００３５】
図６はＵＲＬホワイトリスト管理ＤＢ２０８の構成例である。同図において、ユーザＩＤ部６０１には、サービス加入ユーザを一意に識別できるＩＤを格納される。ＵＲＬ部６０２には、ユーザに対してアクセス許可するＵＲＬを格納する。登録日部６０３にはＵＲＬを登録した日を格納する。
【００３６】
次に、ＵＲＬフィルタリングサービス加入者が、本願発明でのＵＲＬフィルタリングシステムを利用するシーケンスの説明と、シーケンスの中でのＵＲＬフィルタリングシステムの処理の詳細について説明する。
【００３７】
図７はアクセス規制サイトへのＵＲＬフィルタリングシステム利用のシーケンス図である。図８はアクセス許可サイトへのＵＲＬフィルタリングシステム利用のシーケンス図である。
【００３８】
同図において、シーケンスＳ1は、端末装置(被保護者用)１０２からＷｅｂサーバ１０４へのＨＴＴＰプロトコルによるＷｅｂアクセスである。Ｗｅｂアクセスはフィルタリングサーバ１０１経由で行われ、フィルタリングサーバ１０１のフィルタリング処理部２０２でＷｅｂサーバ１０４へのアクセスを許可するかを判定する。この判定は以下のようになされる。
【００３９】
図９はフィルタリング処理部２０２の処理手順を示すフローチャートものである。フィルタリング処理部２０２は、ＷｅｂアクセスのリクエストＵＲＬを取得し、ＵＲＬカテゴリ管理ＤＢ２０６のＵＲＬ部４０１に一致する行を検索し、カテゴリ部４０２の設定値からリクエストＵＲＬがどのカテゴリに所属するかを判定する。ＵＲＬとカテゴリの結び付けには有効期限を設け、有効期限部４０３の設定値が現在日時より前である場合は結び付けを無効とする。
【００４０】
次に、フィルタ情報管理ＤＢ２０７を参照し、被保護者のユーザＩＤ部５０１を特定し、該当カテゴリへのアクセス可否を各カテゴリ名部５０２の項目の設定値を参照して判定する。被保護者のユーザＩＤ部５０１特定方法については、端末装置(被保護者用)１０２のＩＰからの特定等が考えられるがここでは割愛する。
【００４１】
フィルタリング処理部２０２で、対象ＵＲＬへのアクセスが可能と判定された場合は、Ｗｅｂサーバ１０４へＷｅｂアクセスのリクエストが転送される。
【００４２】
次に、シーケンスＳ２はリクエストを受信したＷｅｂサーバ１０４から端末装置(被保護者用)１０２への応答である。フィルタリング処理部２０２で、対象ＵＲＬへのアクセスが拒否された場合は、シーケンスＳ３のアクセス拒否応答を生成し、端末装置(被保護者用)１０２へ送信される。
【００４３】
図１３はフィルタリング処理部２０２で生成されるアクセス拒否応答（シーケンスＳ２）の応答画面の一例である。対象ＵＲＬへのアクセス規制情報１３０１には、ユーザＩＤ１３０２、ＵＲＬ１３０３、規制理由１３０４が表示される。ユーザＩＤは特定した被保護者のユーザＩＤが設定される。ＵＲＬにはリクエストのＵＲＬが設定される。規制理由には規制対象となったＵＲＬのカテゴリが表示される。画面下部分には解除理由記入テキストボックス１３０５および解除要求送信ボタン１３０６が設けられており、被保護者は理由記入した上で解除要求送信ボタン１３０６を押下することで、アクセス規制解除要求を送信可能である。解除要求内容には、フィルタリングサーバ１０１が管理するユーザ情報、フィルタ設定情報等により生成された、対象サイトに関する情報を付与し保護者が解除可否の判断に利用することが可能である。
【００４４】
シーケンスＳ４は、端末装置(被保護者用)１０２からフィルタリングサーバ１０１へのアクセス規制解除要求である。アクセス規制解除要求はＨＴＴＰプロトコルによるＴＣＰ／ＩＰ通信であり、上記アクセス拒否応答で表示されたユーザＩＤ、ＵＲＬ、カテゴリ等の情報や入力された解除理由は、ＣＧＩパラメータ、ＨＴＴＰヘッダ、リクエストボディ等に格納され送信される。
【００４５】
図１０はサイト情報生成処理部２０３の処理手順を示すフローチャートである。アクセス規制解除要求を受信したフィルタリングサーバ１０１は、サイト情報生成処理部２０３にてアクセス規制解除要求からＵＲＬ情報を取得し、対象ＵＲＬに対する全ユーザのフィルタリング設定情報を生成する。フィルタリング設定情報の生成方法については後に説明する。
【００４６】
図１２はメール通知処理部２０４の処理手順を示すフローチャートである。サイト情報生成処理部２０３での処理終了後、メール通知処理部２０４にて、アクセス規制解除要求通知メールを生成する。生成したメールは、ユーザ管理情報ＤＢ２０５の保護者のメールアドレス３０４から取得可能な端末装置(保護者)１０３のメールアドレス宛に送信される。
【００４７】
シーケンスＳ５は、フィルタリングサーバ１０１から端末装置(保護者)１０３へのアクセス規制解除要求通知である。
【００４８】
図１４はアクセス規制解除要求通知メールの例である。ユーザ名部１４０１には、前記アクセス規制解除要求から取得したユーザＩＤをキーとしユーザ管理情報ＤＢ２０５のユーザ名部３０２を参照して取得した値を設定する。カテゴリ部１４０２には、アクセス規制解除要求から取得したカテゴリを設定する。解除要求理由部１４０３にはアクセス規制解除要求から取得した解除要求理由を設定する。サイトＵＲＬ部１４０４には、アクセス規制解除要求から取得したＵＲＬが設定され、保護者がＵＲＬにアクセスすることでサイトの内容を確認することが可能である。サイト情報ＵＲＬ１４０５には、サイト情報生成処理部２０３で生成された前記フィルタリング設定情報を参照するためのＵＲＬが設定され、保護者がＵＲＬにアクセスすることでＵＲＬに対する全ユーザのフィルタリング設定情報を確認可能である。アクセス許可ＵＲＬ１４０６およびアクセス拒否ＵＲＬ１４０７は、フィルタリングサーバ１０１へアクセス規制の解除可否を伝えるためのＵＲＬである。
【００４９】
次に、上記フィルタリング設定情報の生成方法について説明する。図１５はサイト情報生成処理部２０３で生成されるフィルタリング設定情報の例である。フィルタリング設定情報の内容は、フィルタリング規制率(男子)１５０１、フィルタリング規制率(女子)１５０２、個別規制解除率(男子)１５０３、個別規制解除率(女子)１５０４で構成される。
【００５０】
フィルタリング規制率(男子)１５０１は全男子ユーザ数内の対象ＵＲＬへの規制対象となっているユーザ数の割合を年齢別に示しており、ユーザ管理情報ＤＢ２０５の性別部３０５、年齢部３０６からの男子の年齢別ユーザ数の算出と、フィルタ情報管理ＤＢ０２０７を参照し対象ＵＲＬのカテゴリに対しての規制ユーザ数の算出から、割合が算出される。ＵＲＬの属するカテゴリは、アクセス規制解除要求に付与されたパラメータとして取得する。フィルタリング規制率(女子)１５０２についても同様な方法で算出される。
【００５１】
個別規制解除率(男子)１５０３は対象ＵＲＬへの規制ユーザ数内の前記アクセス規制解除要求による規制解除を行ったユーザ数を示しており、フィルタリング規制率(男子)１５０１で算出した年齢別規制ユーザ数と、ＵＲＬホワイトリスト管理ＤＢ２０８からの対象ＵＲＬへの規制解除ユーザ数の算出から、割合が算出される。個別規制解除率(女子)１５０４についても同様な方法で算出される。
【００５２】
シーケンスＳ６は、端末装置(保護者用)１０３からフィルタリングサーバ１０１へのフィルタ設定要求である。アクセス規制解除要求はＨＴＴＰプロトコルによるＴＣＰ／ＩＰ通信であり、前記アクセス許可ＵＲＬ１４０６およびアクセス拒否ＵＲＬ１４０７へのアクセスにより送信される。アクセス規制解除要求のＣＧＩパラメータには、ユーザＩＤおよび対象ＵＲＬの情報を暗号化または一意に特定できる文字列の形で付与する。
【００５３】
図１１はフィルタ設定処理部２０２の処理手順を示すフローチャートである。アクセス規制解除要求のＵＲＬがアクセス許可ＵＲＬ１００６の場合、フィルタリングサーバ０１０１は、フィルタ設定解除のフィルタ設定処理部２０２で、ＵＲＬホワイトリスト管理ＤＢ２０８に、アクセス規制解除要求から取得したユーザＩＤおよびＵＲＬを登録することで、ユーザに対するアクセス規制を解除する。  
図１２はメール通知処理部２０４の処理手順を示すフローチャートである。フィルタ設定処理部２０２での処理終了後、メール通知処理部２０４にて、フィルタ設定結果通知のメールを生成する。生成したメールは、ユーザ管理情報ＤＢ２０５のメールアドレス３０３から取得可能な端末装置(被保護者用)１０２のメールアドレス宛に送信される。
【００５４】
シーケンスＳ７は、フィルタリングサーバ１０１から端末装置(被保護者用)１０２へのフィルタ設定結果通知である。被保護者は通知により保護者がアクセス規制の解除を許可したかを知ることが可能である。
【産業上の利用可能性】
【００５５】
不特定多数のユーザへの情報公開を行うネットワーク上のサイト閲覧を条件によって規制するフィルタリングサービスにおいて、一時的な規制の解除手段および規制対象となっているサイトに関しての情報を生成、提供することが可能である。
【図面の簡単な説明】
【００５６】
【図１】本発明の概要を示す概要図である。
【図２】本発明の実施の一例を示す構成図である。
【図３】本発明の構成要素であるユーザ情報管理ＤＢの構成例である。
【図４】本発明の構成要素であるＵＲＬカテゴリ管理ＤＢの構成例である。
【図５】本発明の構成要素であるフィルタリング情報管理ＤＢの構成例である。
【図６】本発明の構成要素であるＵＲＬホワイトリスト管理ＤＢの構成例である。
【図７】本発明のシステム動作を説明するための、アクセス禁止サイトへのアクセスを行った場合のシーケンス図である。
【図８】本発明のシステム動作を説明するための、アクセス許可サイトへのアクセスを行った場合のシーケンス図である。
【図９】本発明の構成要素であるフィルタリング処理部の処理手順を示すフローチャートである。
【図１０】本発明の構成要素であるサイト情報生成処理部の処理手順を示すフローチャートである。
【図１１】本発明の構成要素であるフィルタ設定処理部の処理手順を示すフローチャートである。
【図１２】本発明の構成要素であるメール通知処理部の処理手順を示すフローチャートである。
【図１３】本発明のシステムで生成するアクセス拒否応答画面例である。
【図１４】本発明のシステムで生成するアクセス規制解除要求通知例である。
【図１５】本発明のシステムで生成するフィルタリング設定情報例である。
【符号の説明】
【００５７】
１０１：フィルタリングサーバ  
１０２：端末装置(被保護者)
１０３：端末装置(保護者)
１０４：Ｗｅｂサーバ
２０１：フィルタリング処理部
２０２：フィルタ設定処理部
２０３：サイト情報生成処理部
２０４：メール通知処理部
２０５：ユーザ管理情報ＤＢ
２０６：ＵＲＬカテゴリ管理ＤＢ
２０７：フィルタ情報管理ＤＢ
２０８：ＵＲＬホワイトリスト管理ＤＢ
Ｓ１：Ｗｅｂアクセス
Ｓ２：Ｗｅｂアクセス応答
Ｓ３：アクセス拒否応答
Ｓ４：アクセス規制解除要求
Ｓ５：アクセス規制解除要求通知
Ｓ６：フィルタ設定要求
Ｓ７：フィルタ設定結果通知
【図１】
2010117874.tif 000003
【図２】
2010117874.tif 000004
【図３】
2010117874.tif 000005
【図４】
2010117874.tif 000006
【図５】
2010117874.tif 000007
【図６】
2010117874.tif 000008
【図７】
2010117874.tif 000009
【図８】
2010117874.tif 000010
【図９】
2010117874.tif 000011
【図１０】
2010117874.tif 000012
【図１１】
2010117874.tif 000013
【図１２】
2010117874.tif 000014
【図１３】
2010117874.tif 000015
【図１４】
2010117874.tif 000016
【図１５】
2010117874.tif 000017